(57)【要約】【課題】清掃用ブラシ及び収納ケースを清潔に保てる清掃用具に関する。【解決手段】収納ケース２に殺菌灯３を備えることで、清掃用ブラシ１を殺菌可能とするとともに、清掃用ブラシ１の柄部と把持部１７と着脱自在１８にすることで、ブラシ部３１が汚れた際には取り外して廃棄可能とした清掃用具。【選択図】図２
2017074306.tif 000002
【特許請求の範囲】
【請求項１】
清掃用ブラシとそれを収納する収納ケースとを備えた清掃用具であって、
前記収納ケースに、前記収納ケース内に設置した殺菌灯により、前記清掃用ブラシのブラシ部を殺菌する殺菌手段を設けた、
ことを特徴とする清掃用具。
【請求項２】
前記収納ケースは、筒状の収納ケース本体と、前記収納ケース本体の上面を閉塞する天蓋と、前記収納ケース本体の下面を閉塞する底板とを備え、前記天蓋は前記清掃用ブラシの長さ方向の途中部に固定され、前記収納ケース本体の上面を天蓋で閉蓋した状態で、前記清掃用ブラシのブラシ部が、前記殺菌灯に対面するように収納ケース内に中空支持されることを特徴とする請求項１記載の清掃用具。
【請求項３】
前記収納ケース本体が、筒状に嵌合可能な一対の金属製の押出成形品からなることを特徴とする請求項２記載の清掃用具。
【請求項４】
前記収納ケース本体が、前記収納ケースの内部を、前記殺菌灯を収容する殺菌灯収納部と、前記殺菌灯の制御手段を収納する制御手段収納部とに縦割りに仕切る、仕切り板を備えたことを特徴とする請求項２又は３記載の清掃用具。
【請求項５】
前記殺菌灯収納部の内面が、鏡面処理されていることを特徴とする請求項４記載の清掃用具。
【請求項６】
前記殺菌灯として、オゾンを生成可能な波長の遠紫外線と、オゾンを分解して活性酸素を生成可能な波長の近紫外線の２種類の波長の紫外線を照射可能なものを用いた請求項１乃至５のいずれか記載の清掃用具。
【請求項７】
前記殺菌手段が、前記天蓋の開閉操作を検出する検知センサーと、前記検知センサーからの信号に基づいて、前記殺菌灯を制御するための制御手段を備えたことを特徴とする請求項１乃至６のいずれか記載の清掃用具。
【請求項８】
前記底板の上面を傾斜面で構成したことを特徴とする請求項１乃至７のいずれか記載の清掃用具。
【請求項９】
前記清掃用ブラシが、持ち手としての把持部と、先端部にブラシ部を有する柄部と、前記把持部に柄部を着脱自在に保持する着脱手段とを備え、前記把持部に着脱手段の操作部を設けたことを特徴とする請求項１乃至８のいずれか記載の清掃用具。
【請求項１０】
前記着脱手段は、前記柄部の基端部と把持部の先端部とに設けた、軸方向に移動自在で且つ相対回転不能に嵌合する凹凸嵌合部と、両端部が把持部外へ突出するように、前記把持部を挿通する操作軸と、前記操作軸の基端部に固定した操作部と、前記操作軸の先端部に設けた雄ネジと、前記雄ネジに螺合する前記柄部の基端部に設けた雌ネジとを備えたことを特徴とする請求項９記載の清掃用具。
【請求項１１】
前記清掃用ブラシの柄部が樹脂製であることを特徴とする、請求項１乃至１０のいずれか記載の清掃用具。
【発明の詳細な説明】
【技術分野】
【０００１】
本発明は、清掃用ブラシ及び収納ケースを清潔に保てる清掃用具に関する。
【背景技術】
【０００２】
清掃用具を清潔に保つための発明として、トイレブラシ収納庫内に殺菌灯を設けたものや、ブラシの先端部を取り外し可能なものが種々提案され、実用化されている。
【０００３】
具体的には、収納棚の一部にトイレブラシの収納庫を設け、内部に殺菌灯を設けることで、トイレブラシの殺菌を可能としたトイレ用収納棚（特許文献１）や、把持部に設けられた操作部を操作することで、柄部の先端側に装着された清掃部材を使い捨て可能とした柄付き清掃具（特許文献２）などがある。
【先行技術文献】
【特許文献】
【０００４】
【特許文献１】実開平５−４９９７号公報
【特許文献２】実用新案登録第３１０５２１７号
【発明の概要】
【発明が解決しようとする課題】
【０００５】
ところで、特許文献１記載のトイレ用収納棚は、殺菌灯の光が直接トイレブラシに照射されることがなく、大きな殺菌効果は期待できない。殺菌灯は、対象物の近くで照射しない限り、その殺菌作用が大きく減衰されてしまうからである。また、特許文献２記載の柄付き清掃具は、清掃部材を使い捨て可能にすることで、清掃部材の交換により清掃具の先端部は清潔に保たれるものの、柄部に付着した汚れまでは綺麗にできないことから、清掃部材の交換時などにおいて、手指が柄部に接触して汚れることがある。しかも、柄部の汚れを清掃しないで、清掃具をそのまま収納ケースに収納すると、柄部において雑菌が繁殖し、収納ケース内が二次汚染されるという問題もある。さらに、清掃中に把持部を保持す
る人の手に、水滴が飛散することを防ぐことはできないという問題があった。
【０００６】
本発明の目的は、殺菌灯をブラシ部の至近距離に設置することで、殺菌効果を向上させブラシ部を清潔にすると共に、柄部を着脱可能にすることで、ブラシ部を清潔に保つことを可能となし、殺菌灯により収納ケース内も清潔に保てる清掃用具を提供することである。
【課題を解決するための手段】
【０００７】
本発明に係る清掃用具は、清掃用ブラシとそれを収納する収納ケースとを備えた清掃用具であって、前記収納ケースに、前記収納ケース内に設置した殺菌灯により、前記清掃用ブラシのブラシ部を殺菌する殺菌手段を設けた、ことを特徴とする清掃用具である。なお、殺菌灯としては、例えば紫外線殺菌灯を利用することができ、紫外線を清掃用ブラシに照射することで、ブラシ部及び柄部を殺菌し、清潔に保つことが可能となる。
【０００８】
この清掃用具を用いて清掃作業を行う際には、収納ケースから清掃用ブラシを取り外して、必要な清掃作業を行うことになり、また清掃後には、清掃用ブラシを収納ケースに収納した状態で、収納ケース内のブラシ部及び柄部に対して殺菌灯により紫外線を照射して、ブラシ部及び柄部を殺菌することになる。つまり、この清掃用具では、収納ケース内において清掃用ブラシのブラシ部及び柄部を殺菌するので、紫外線が人体に悪影響を及ぼすことを防止しつつ、ブラシ部及び柄部を紫外線により効率的に殺菌して、ブラシ部及び柄部を清潔に保つことができるとともに、収納ケース内を清潔に保つことが可能となる。
【０００９】
ここで、前記収納ケースは、筒状の収納ケース本体と、前記収納ケース本体の上面を閉塞する天蓋と、前記収納ケース本体の下面を閉塞する底板とを備え、前記天蓋は前記清掃用ブラシの長さ方向の途中部に固定され、前記収納ケース本体の上面を天蓋で閉蓋した状態で、前記清掃用ブラシのブラシ部が、前記殺菌灯に対面するように収納ケース内に中空支持されていることが好ましい。この場合には、清掃用ブラシを保持する手のカバーとして、前記天蓋を機能させることができるので、清掃時に汚れた水滴が万一飛散した場合でも、この飛散した水滴が清掃用ブラシを把持する手に付着することを防止できる。しかも、天蓋に付着した汚れた水滴は、清掃用ブラシとともに殺菌されるので、収納ケース内において雑菌が増殖することも防止できる。
【００１０】
前記収納ケース本体が、筒状に嵌合可能な一対の金属製の押出成形品からなることを特徴としていることが好ましい。収納ケース本体は、合成樹脂の成形品で構成することも可能であるが、金属製の押出成形品で構成すると、清掃用具に高級感を付与できるので好ましい。また、収納ケース本体として、単一部材からなる金属製の筒状の押出成形品を用いることもできるが、内面を鏡面処理することが困難なので、筒状に嵌合可能な一対の押出成形品で構成することが好ましい。
【００１１】
前記収納ケース本体が、該収納ケースの内部を、前記殺菌灯を収容する殺菌灯収納部と、前記殺菌灯の制御手段を収納する制御手段収納部とに縦割りに仕切る、仕切り板を備えていることが好ましい。また、前記殺菌灯収納部の内面が、鏡面処理されていることが好ましい。殺菌灯より照射される紫外線が、鏡面処理された内面に反射されることで、ブラシの殺菌灯に対面していない側まで、紫外線が回り込み、殺菌をすることが可能となるためである。
【００１２】
前記殺菌灯として、オゾンを生成可能な波長の遠紫外線と、オゾンを分解して活性酸素を生成可能な波長の近紫外線の２種類の波長の紫外線を照射可能なものを用いることが好ましい。この場合には、オゾンの１００倍〜１万倍の殺菌効果を有する活性酸素により、ブラシ部を効率的に殺菌できるので好ましい。
【００１３】
前記殺菌手段が、前記天蓋の開閉操作を検出する検知センサーと、前記検知センサーからの信号に基づいて、前記殺菌灯を制御するための制御手段を備えていることが好ましい。この場合には、検知センサーからの信号が、天蓋の開蓋状態から閉蓋状態に切り替わったことを検出した後に、殺菌灯を一定時間点灯したり、定期的に点灯したりすることが可能となるので好ましい。つまり、天蓋が完全に閉まらないまま殺菌灯を点灯すると、紫外線がケース外に漏えいし、危険であるためである。また、殺菌灯が必要以上に点灯し続けるのを防止するためである。
【００１４】
また、前記底板の上面を傾斜面で構成していることが好ましい。
前記天蓋に固定された前記清掃用ブラシが、持ち手としての把持部と、先端部にブラシ部を有する柄部と、前記把持部に柄部を着脱自在に保持する着脱手段とを備え、前記把持部に着脱手段の操作部を設けていることが好ましい。柄部及びブラシ部が汚れた際に、柄部及びブラシ部に手を触れることなく、柄部及びブラシ部を外して廃棄するためである。
【００１５】
前記着脱手段は、前記柄部の基端部と把持部の先端部とに設けた、軸方向に移動自在で且つ相対回転不能に嵌合する凹凸嵌合部と、両端部が把持部外へ突出するように、前記把持部を挿通する操作軸と、前記操作軸の基端部に固定した操作部と、前記操作軸の先端部に設けた雄ネジと、前記雄ネジに螺合する前記柄部の基端部に設けた雌ネジとを備えていることが好ましい。また、前記清掃用ブラシの柄部が樹脂製であることが好ましい。
【発明の効果】
【００１６】
本発明に係る清掃用具によれば、収納ケース内において清掃用ブラシのブラシ部及び柄部を殺菌するので、紫外線が人体に悪影響を及ぼすことを防止しつつ、ブラシ部及び柄部を紫外線により効率的に殺菌して、ブラシ部及び柄部を清潔に保つことができるとともに、収納ケース内を清潔に保つことが可能となる。
【図面の簡単な説明】
【００１７】
【図１】清掃用具の全体構成図
【図２】図１のＩＩ-ＩＩ線断面図
【図３】図１のＩＩＩ-ＩＩＩ線断面図
【図４】清掃用具の分解斜視図
【図５】図５（ａ）は清掃用ブラシの断面図、図５（ｂ）は清掃用ブラシの柄部分離時の断面図
【図６】柄部と操作ネジの接続部の縦断面図
【図７】清掃用具の清掃用ブラシの収納時の斜視図
【発明を実施するための形態】
【００１８】
以下、本発明の実施形態について、図面を参考にしながら説明する。
図１及び図２に示すように、本件発明に係る清掃用具は、清掃用ブラシ１とそれを収納する収納ケース２とを備えた清掃用具であって、該収納ケース２に、該収納ケース２内に設置した殺菌灯３により、該清掃用ブラシ１のブラシ部３１を殺菌する殺菌手段３９を設けたものである。なお、本発明は、特にトイレ用清掃用ブラシに使用することが好適である。
【００１９】
図３に示すように、収納ケース２は、殺菌灯収納部側周壁７と、制御手段収納部側周壁８とを備え、収納ケース２の内部は、制御手段収納部側周壁８に一体的に設けた平面視Ｃ字状の仕切り板４により殺菌灯収納部５と制御手段収納部６とに縦割りに仕切られ、該殺菌灯収納部５は、殺菌灯収納部側周壁７と仕切り板４より形成され、該制御手段収納部６は、仕切り板４と制御手段収納部側周壁８より形成される。なお、仕切り板４は、制御手段収納部側周壁８と一体成形品で構成することもできるし、別部材で構成することも可能である。また、該仕切り板４は、平面視がＣ字状である必要は必ずしもなく、平面視がコの字状でも、また平面視が直線状の板材でもよい。
【００２０】
図４の通り、制御手段収納部側周壁８の両側部には仕切り板突部９が長さ方向（上下方向）の全長にわたってそれぞれ形成され、殺菌灯収納部側周壁７の両側部には殺菌灯収納部側周壁溝部１０が長さ方向（上下方向）の全長にわたって形成され、制御手段収納部側周壁８と殺菌灯収納部側周壁７とは、仕切り板凸部９が殺菌灯収納部側周壁溝部１０に嵌合されることで筒状に結合されている。また、該殺菌灯収納部側周壁溝部１０と該仕切り板凸部９が着脱自在とされることで、殺菌灯収納部内面壁１１が汚れた際に、該殺菌灯収納部側周壁溝部１０と該仕切り板凸部９との係合を解除し、該殺菌灯収納部内面壁１１を清掃することが可能となる。なお、該殺菌灯収納部側周壁７と、制御手段収納部側周壁８とは金属製の押出成型品であることが、好ましい実施の形態であるが、合成樹脂材料の押出成型品で構成することもできるし、射出成形などの成形品で構成することも可能である。また、該殺菌灯収納部側周壁７及び仕切り板４は、殺菌灯収納部５側の内面が鏡面処理されていることが、好ましい実施の形態である。前記殺菌灯３より照射された紫外線が、該殺菌灯収納部側周壁７及び仕切り板４の内面で反射されることで、清掃用ブラシ１の直接紫外線が照射されない部位にも紫外線が照射され、さらなる殺菌効果を得られるためである。
【００２１】
殺菌灯収納部下面開口部１２には殺菌灯収納部底板１３が着脱可能に嵌合固定され、該殺菌灯収納部下面開口部１２は該殺菌灯収納部底板１３で閉塞されている。該殺菌灯収納部底板１３が汚れた際には、該殺菌灯収納部底板１３を取り外して洗浄できるように構成されている。なお、殺菌灯収納部底板上面１４は、例えば、一方向に傾斜した傾斜面で構成されていることが好ましい実施の形態である。該殺菌灯収納部底板の直上に設置される清掃用ブラシ１より落下する水滴が、傾斜面により該殺菌灯収納部底板上面１４に沿って移動して拡散することで、水滴の蒸発を促進して、雑菌の繁殖を防止するためである。なお、該殺菌灯収納部底板上面１４の清掃用ブラシ１の直下点を頂点に、山状に隆起が設けられていてもよい。該清掃用ブラシ１より落下した水滴を、該殺菌灯収納部底板上面１４の全面に拡散させるためである。更に、該殺菌灯収納部底板上面１４は、段階的な傾斜面で構成してもよく、親水性を高めるための模様を設けてもよい。なお、該殺菌灯収納部底板１３は、紫外線により劣化し難い材料、例えばシリコン製であることが望ましい実施の形態である。更に、該殺菌灯収納部底板上面１４に酸化チタンを塗布、あるいは該殺菌灯収納部底板１３に酸化チタンを含有させて、殺菌作用や消臭作用が得られるように構成してもよい。
【００２２】
殺菌灯収納部上面開口部１５には、殺菌灯収納部蓋部１６が着脱自在に嵌合され、該殺菌灯収納部上面開口部１５は該殺菌灯収納部蓋部１６により閉塞されている。該殺菌灯収納部蓋部１６には、清掃用ブラシ１の柄部１７及び把持部１８が接続されている。該柄部１７及び前記ブラシ部３１は、該殺菌灯収納部蓋部１６を該殺菌灯収納部上面開口部１５に嵌合することにより、前記殺菌灯収納部５内において殺菌灯に対面するよう懸吊される。なお該殺菌灯収納部蓋部１６は、清掃時に汚れた水滴が飛散し、使用者の手に付着することを防ぐための鍔の役割も果たしている。
【００２３】
図５に示す通り、清掃用ブラシ１は、上記の通り前記殺菌灯収納部蓋部１６に取り付けられた、持ち手としての前記把持部１８と、先端部に前記ブラシ部３１を有する前記柄部１７とを備えている。該ブラシ部３１は、該柄部１７の先端に設けられたブラシ基部１９と、該ブラシ基部１９に放射状に設けられた毛部２０よりなる。該毛部２０は、たとえばフィラメントを束ねた毛束を、該ブラシ基部１９に植設することで構成されている。なお、図面上では該ブラシ基部１９の一部に毛部２０が植毛されているが、該ブラシ基部１９の全面に植毛されていてもよい。また、該ブラシ基部１９は、該柄部１７と一体成型されていてもよいし、別部材を該柄部１７の先端に嵌合させてもよい。
【００２４】
また、前記柄部１７と前記把持部１８を着脱自在とするため、着脱手段が設けられている。着脱手段について説明すると、該把持部１８を挿通する操作軸２１が設けられ、操作軸２１の基端部は把持部１８から上方へ突出され、操作軸２１の先端は該殺菌灯収納部蓋部１６を貫通して下方へ突出されている。操作軸２１の上端部には操作部２６が相対回転不能に設けられ、操作軸２１は、操作部２６により把持部１８から脱落しないように係止されるとともに、操作部２６により回転操作できるように構成されている。該殺菌灯収納部蓋部１６より下方へ突出している該操作軸２１の先端には、操作軸先端雄ネジ３５が設けられ、該柄部１７の基端部には柄部基端雌ネジ３６が設けられ、該操作軸先端雄ネジ３５を該柄部基端雌ネジ３６に螺合することで、該柄部１７と該把持部１８は着脱自在に固定される。
【００２５】
該殺菌灯収納部蓋部１６には蓋部上面螺合凸部２２が設けられており、該蓋部上面螺合凸部２２内には、蓋部上面螺合雌ネジ２３が設けられている。また、該把持部１８の先端部には、把持部先端雄ネジ２４が設けられ、該蓋部上面螺合雌ネジ２３と、該把持部先端雄ネジ２４を螺合することで、該殺菌灯収納部蓋部１６と該把持部１８は接続されている。一方、該殺菌灯収納部蓋部１６には、柄部嵌合壁２５により構成される、柄部基端部収納空間３７が設けられている。該柄部１７の基端と、基端側に設けられた柄部基端隆起部３８が該柄部基端部収納空間３７に嵌合されることで、該殺菌灯収納部蓋部１６と該柄部１７は相対回転不能に接続され、該操作軸２１の回転に合わせて該柄部１７が共回りすることが防止され、該操作軸先端雄ネジ３５を該柄部基端雌ネジ３６から解螺できるように構成されている。
【００２６】
図６に示すように、把持部１８から上方へ突出する操作軸２１の基端部には二股隆起部３２と操作ネジ抜け防止材３４とが形成され、操作部２６の成形時に操作軸２１の基端部を操作部２６にインサート成形することで、操作部２６には、二股隆起部３２の操作軸基端溝部３３に嵌合する操作ネジ隆起部４３と、操作ネジ抜け防止材３４に嵌合する操作ネジ凹部４２とが形成され、操作部２６は、操作軸２１に対して相対回転不能で且つ軸方向に移動不能に設けられている。ただし、操作部２６と操作軸２１との連結構造としては、ビスなどを用いた連結構造にて行うことも可能である。
【００２７】
この着脱手段では、操作部２６を回転操作することで、図５（ａ）に示す通り、前記操作軸２１が回転し、螺合している前記雄ネジ３５と前記雌ネジ３６が分離することで、前記柄部１７と前記把持部１８を取り外すことができる。また、図５（ｂ）に示す通り、柄部嵌合壁２５に柄部１７の上端部を内嵌させて、操作部２６を回転操作することで、操作軸先端雄ネジ３５を該柄部基端雌ネジ３６に螺合させ、把持部１８に柄部１７を連結できるように構成されている。このように、操作部２６を回転操作することにより、柄部１７に対して手を触れることなく、把持部１８から柄部１７を取り外すことができるので、柄部１７の交換時に、柄部１７が汚れていた場合でも、手を触れることなく柄部１７を取り外してブラシ部３１を交換することができる。
【００２８】
なお、該柄部１７及び前記ブラシ部３１は樹脂製であることが、好ましい実施の形態である。特にトイレ清掃用のブラシの場合、該ブラシ部３１に汚れが付着する頻度が高く、交換可能なように廉価な樹脂を使うことが好ましいためである。
【００２９】
前記殺菌手段３９は、前記殺菌灯３と後述する制御手段２９よりなる。図２に示すように、該殺菌灯３は殺菌灯収納部天蓋２７から懸吊されている。該殺菌灯３としては紫外線殺菌灯が好ましい実施の形態である。なお、照射される紫外線等の殺菌光は減衰率が高く、殺菌対象との距離が近ければ近いほど殺菌効果が発揮される。従って、該殺菌灯３と前記ブラシ部３１を対面させることが好ましい。また、殺菌灯に清掃用ブラシ１が衝突して破損することを避けるため、該殺菌灯収納部天蓋２７から、保護用支柱２８を設けることが好ましい。
【００３０】
殺菌灯３として紫外線を照射するものを用いる場合には、１０ｎｍ〜４００ｎｍの任意の波長の紫外線を照射可能なものを採用できる。特に、２５３．７ｎｍの波長の紫外線が最も殺菌効果が高いことから、２５３．７ｎｍ±５０ｎｍの波長の紫外線を照射可能な殺菌灯３を採用することが好ましい。また、紫外線としては、オゾンを生成可能な波長２００ｎｍ以下の遠紫外線と、オゾンを分解して活性酸素を生成可能な波長３８０ｎｍ〜２００ｎｍの近紫外線の２種類の波長の紫外線を組み合わせて用いると、オゾンの１００倍〜１万倍の殺菌効果を有する活性酸素により、ブラシ部３１を効率的に殺菌できるので好ましい。具体的には、オゾンを生成可能な波長１８５ｎｍの遠紫外線と、オゾンを分解して活性酸素を生成可能な波長２５４ｎｍの近紫外線とを照射可能な、遠紫外線と近紫外線とを同時に照射可能な１本の紫外線殺菌灯を設けることもできるし、遠紫外線と近紫外線とを個別に照射可能な２本の紫外線殺菌灯を設けることもできる。
【００３１】
また、殺菌灯３を制御するための制御手段２９が、前記制御手段収納部６に収納されている。該制御手段収納部６の底面は、制御手段収納部底板４０を制御手段収納部底板留めネジ４１により固定される。さらに、殺菌灯収納部上面開口部１５には検知センサー３０が設けられ、前記殺菌灯収納部蓋部１６の閉蓋状態と開蓋状態とを検出できるように構成されている。該制御手段２９では該検知センサー３０の信号に基づいて、殺菌灯を点灯状態と消灯状態とに制御できるように構成されている。殺菌灯の点灯時間は、短すぎれば、十分な殺菌効果が得られず、逆に長すぎても殺菌効果に大きな影響はない上に、照射される紫外線等により前記柄部１７や前記ブラシ部３１を劣化させてしまう可能性があるため、２〜１０分程度に設定することが好ましい。また、清掃用ブラシ１を収納ケース２に仮収容することもあるので、検出センサーにより閉蓋状態が検出されてから、１〜２分経過後に殺菌灯３を点灯するように制御することが望ましい。また、長時間にわたって、例えば２４時間以上にわたって閉蓋状態が検出される場合には、前記と同ように２〜１０分程度、殺菌灯３を点灯することも、雑菌の繁殖を抑制する上で好ましい。ただし、手動により殺菌灯３を点灯状態と消灯状態とに切り換えるように構成することも可能である。
【００３２】
具体的な実施例として、例えば本件発明をトイレ内に設置し、トイレの清掃用具として、前記清掃用ブラシ１を使用する。収納ケース２に収納された清掃用ブラシ１は、清掃時に収納ケース２から取り出され、清掃のために使用した後、収納ケース２に収納される。しかし清掃時に、清掃用ブラシ１のブラシ部３１、前記柄部１７に汚れた水滴等が付着してしまうため、そのまま放置していると雑菌が繁殖してしまう。そこで、図７に示すように、清掃終了後、前記殺菌灯収納部上面開口部１５から清掃用ブラシ１を挿入し、前記殺菌灯収納部蓋部１６を閉めることで、前記検知センサー３０が閉蓋を検出し、前記殺菌灯３が点灯状態となり、該清掃用ブラシ１が殺菌される。殺菌終了後、前記制御手段２９より、殺菌灯３が消灯状態となる。  
【符号の説明】
【００３３】
１      清掃用ブラシ
２      収納ケース
３      殺菌灯
４      仕切り板
５      殺菌灯収納部
６      制御手段収納部
７      殺菌灯収納部側周壁
８      制御手段収納部側周壁
９      仕切り板凸部
１０    殺菌灯収納部側周壁溝部
１１    殺菌灯収納部内面壁
１２    殺菌灯収納部下面開口部
１３    殺菌灯収納部底板
１４    殺菌灯収納部底板上面
１５    殺菌灯収納部上面開口部
１６    殺菌灯収納部蓋部
１７    柄部
１８    把持部
１９    ブラシ基部
２０    毛部
２１    操作軸
２２    蓋部上面螺合凸部
２３    蓋部上面螺合雌ネジ
２４    把持部先端雄ネジ
２５    柄部嵌合壁
２６    操作部
２７    殺菌灯収納部天蓋
２８    保護用支柱
２９    制御手段
３０    検知センサー
３１    ブラシ部
３２    二股隆起部
３３    操作軸基端溝部
３４    操作ネジ抜け防止材
３５    操作軸先端雄ネジ
３６    柄部基端雌ネジ
３７    柄部基端部収納空間
３８    柄部基端隆起部
３９    殺菌手段
４０    制御手段収納部底板
４１    制御手段収納部底板留めネジ
４２    操作ネジ部
４３    操作ネジ隆起部
【図１】
2017074306.tif 000003
【図２】
2017074306.tif 000004
【図３】
2017074306.tif 000005
【図４】
2017074306.tif 000006
【図５】
2017074306.tif 000007
【図６】
2017074306.tif 000008
【図７】
2017074306.tif 000009